【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
いびき防止システムであって、
少なくとも１つのエラーマイクロフォンと少なくとも１つのスピーカとを有する第１の枕ユニットと、
少なくとも１つの参照マイクロフォンであって、同少なくとも１つの参照マイクロフォンに近接して生成される音を捕捉するように構成されている少なくとも１つの参照マイクロフォンと、
前記第１の枕ユニットおよび前記少なくとも１つの参照マイクロフォンに動作可能に接続されている制御ユニットであって、前記第１の枕ユニットに配置される前記少なくとも１つのエラーマイクロフォンおよび前記少なくとも１つの参照マイクロフォンからの信号を受信する制御ユニットと、を含み、
前記制御ユニットは、前記第１の枕ユニットに配置されている前記少なくとも１つのスピーカにて、ゲート制御された動的調整を使用して、前記少なくとも１つのエラーマイクロフォンおよび前記少なくとも１つの参照マイクロフォンから受信される信号を処理することによってアンチノイズを生成するように構成されており、それにより、前記アンチノイズが、前記少なくとも１つの参照マイクロフォンに近接して生成される音を消去する、いびき防止システム。
【請求項２】
前記制御ユニットは前記第１の枕ユニットおよび前記少なくとも１つの参照マイクロフォンに無線接続されている、請求項１に記載のいびき防止システム。
【請求項３】
前記制御ユニットは前記第１の枕ユニットおよび前記少なくとも１つの参照マイクロフォンに無線ＲＦリンクを使用して無線接続されている、請求項１に記載のいびき防止システム。
【請求項４】
前記第１の枕ユニットは、同第１の枕ユニットに配置された少なくとも１つの参照マイクロフォンであって、同少なくとも１つの参照マイクロフォンに近接して生成される音を捕捉するように構成されている少なくとも１つの参照マイクロフォンを含む、請求項１に記載のいびき防止システム。
【請求項５】
前記少なくとも１つの参照マイクロフォンは、第２の枕ユニットに配置されている、請求項１に記載のいびき防止システム。
【請求項６】
前記第２の枕ユニットは、少なくとも１つのエラーマイクロフォンおよび少なくとも１つのスピーカをさらに含む、請求項５に記載のいびき防止システム。
【請求項７】
前記制御ユニットは、二次経路学習を使用して前記信号をさらに処理する、請求項１に記載のいびき防止システム。
【請求項８】
前記制御ユニットは、一次経路学習を使用して前記信号をさらに処理する、請求項１に記載のいびき防止システム。
【請求項９】
前記制御ユニットは、超音波一次経路学習を使用して前記信号をさらに処理する、請求項１に記載のいびき防止システム。
【請求項１０】
前記制御ユニットは、適応ステップサイズフィルタリングを使用して前記信号をさらに処理する、請求項１に記載のいびき防止システム。
【請求項１１】
前記制御ユニットは、自動利得制御を使用して前記信号をさらに処理する、請求項１に記載のいびき防止システム。
【請求項１２】
前記制御ユニットは、補助的な追加の音声を使用して前記信号をさらに処理する、請求項１に記載のいびき防止システム。
【請求項１３】
前記制御ユニットは、睡眠分析を使用して前記信号をさらに処理する、請求項１に記載のいびき防止システム。
【請求項１４】
前記第１の枕ユニットの前記少なくとも１つのエラーマイクロフォンおよび前記少なくとも１つの参照マイクロフォンから受信される信号を処理することは、一次経路学習、超音波一次経路学習、適応ステップサイズフィルタリング、自動利得制御、補助的な追加の音声、および睡眠分析のうちの少なくとも１つを使用することをさらに含む、請求項１に記載のいびき防止システム。
【請求項１５】
前記制御ユニットは、前記第１の枕ユニットまたは前記第２の枕ユニット内に配置される、請求項５に記載のいびき防止システム。
【請求項１６】
いびき防止システムであって、
少なくとも１つのエラーマイクロフォンと少なくとも１つのスピーカとを有する第１の枕ユニットと、
少なくとも１つのエラーマイクロフォンと少なくとも１つのスピーカとを有する第２の枕ユニットと、
少なくとも１つの参照マイクロフォンであって、前記第１の枕ユニットおよび前記第２の枕ユニットのうちの少なくとも一方に近接して生成される音を捕捉するように構成されている少なくとも１つの参照マイクロフォンと、
前記第１の枕ユニット、前記第２の枕ユニットおよび前記少なくとも１つの参照マイクロフォンに動作可能に接続されている制御ユニットであって、前記第１の枕ユニットに配置される前記少なくとも１つのエラーマイクロフォン、前記第２の枕ユニットに配置される前記少なくとも１つのエラーマイクロフォンおよび前記少なくとも１つの参照マイクロフォンからの信号を受信する制御ユニットと、を含み、
前記制御ユニットは、前記第１の枕ユニットに配置されている前記少なくとも１つのスピーカにて、前記第１の枕ユニットの少なくとも１つのエラーマイクロフォンおよび前記少なくとも１つの参照マイクロフォンから受信される信号を処理することによってアンチノイズを生成するように構成されており、それにより、前記アンチノイズが、前記少なくとも１つの参照マイクロフォンに近接して生成される音を消去する、いびき防止システム。
【請求項１７】
前記制御ユニットは、前記第２の枕ユニットに配置されている前記少なくとも１つのスピーカにて、ゲート制御された動的調整を使用して、前記第２の枕ユニットの前記少なくとも１つのエラーマイクロフォンおよび前記少なくとも１つの参照マイクロフォンから受信される信号を処理することによってアンチノイズを生成するようにさらに構成されており、それにより、前記アンチノイズが、前記少なくとも１つの参照マイクロフォンに近接して生成される音を消去する、請求項１６に記載のいびき防止システム。
【請求項１８】
前記制御ユニットは、ゲート制御された動的調整を使用して前記信号を処理する、請求項１６に記載のいびき防止システム。
【請求項１９】
前記制御ユニットは、一次経路学習を使用して前記信号をさらに処理する、請求項１６に記載のいびき防止システム。
【請求項２０】
前記制御ユニットは、超音波一次経路学習を使用して前記信号をさらに処理する、請求項１６に記載のいびき防止システム。
【請求項２１】
前記制御ユニットは、適応ステップサイズフィルタリングを使用して前記信号をさらに処理する、請求項１６に記載のいびき防止システム。
【請求項２２】
前記制御ユニットは、自動利得制御を使用して前記信号をさらに処理する、請求項１６に記載のいびき防止システム。
【請求項２３】
前記制御ユニットは、補助的な追加の音声を使用して前記信号をさらに処理する、請求項１６に記載のいびき防止システム。
【請求項２４】
前記制御ユニットは、睡眠分析を使用して前記信号をさらに処理する、請求項１６に記載のいびき防止システム。
【請求項２５】
前記第１の枕ユニットの前記少なくとも１つのエラーマイクロフォンおよび前記少なくとも１つの参照マイクロフォンから受信される信号を処理することは、一次経路学習、超音波一次経路学習、適応ステップサイズフィルタリング、自動利得制御、補助的な追加の音声、および睡眠分析のうちの少なくとも１つを使用することをさらに含む、請求項１６に記載のいびき防止システム。
【請求項２６】
前記少なくとも１つの参照マイクロフォンは、前記第１の枕ユニットおよび前記第２の枕ユニットのうちの少なくとも一方に配置されている、請求項１６に記載のいびき防止システム。
【請求項２７】
前記制御ユニットは、前記第１の枕ユニットまたは前記第２の枕ユニット内に配置されている、請求項１６に記載のいびき防止システム。
【請求項２８】
前記制御ユニットは、スマートフォン、腕時計、身体装着型コンピュータ、パッドデバイス、タブレットデバイス、またはソフトウェアをロードし実行することができる任意の他の内蔵型コンピュータ処理デバイスである、請求項１６に記載のいびき防止システム。
【請求項２９】
第１の枕ユニット内の前記少なくとも１つのエラーマイクロフォンは、第２の枕ユニットの前記少なくとも１つのスピーカによって生成されるアンチノイズ信号を生成するための少なくとも１つの参照マイクロフォンとしても使用できる、請求項１６に記載のいびき防止システム。
【請求項３０】
複数のエラーマイクロフォンが第１の枕ユニットにて使用され、前記複数のエラーマイクロフォンの各々からの信号は、そのうちのいずれが参照信号として使用するのに最も適しているかを決定するために分析され、前記第２の枕ユニットの前記少なくとも１つのスピーカによって生成されるべき生成されたアンチノイズは同参照信号に基づいている、請求項２９に記載のいびき防止システム。
【請求項３１】
いびきを消去する方法であって、前記方法は、
参照マイクロフォンで参照ノイズを感知して参照ノイズ信号を制御ユニットに出力するステップと、
ユーザの耳に近接して配置されたエラーマイクロフォンでエラーノイズレベルを感知してエラーノイズ信号を制御ユニットに出力するステップと、
ゲート制御された動的調整を用いて参照ノイズ信号およびエラーノイズ信号を処理することにより参照ノイズを消去するためのアンチノイズを決定するステップと、
参照ノイズが消去されるように前記ユーザの耳に近接する少なくとも１つのスピーカを使用してアンチノイズを生成するステップと、
を含む、方法。
【請求項３２】
参照ノイズ信号を処理することによって参照ノイズを消去するためのアンチノイズを決定するステップはさらに、一次経路学習、超音波一次経路学習、適応ステップサイズフィルタリング、自動利得制御、補助的な追加の音声、および睡眠分析のうちの少なくとも１つを利用することを含む、請求項３１に記載の方法。
【請求項３３】
前記一次経路学習は、参照マイクロフォンの付近に配置されたスピーカと、前記ユーザの耳に近接して配置されるエラーマイクロフォンとの間の超音波信号を送信することを含む、請求項３２に記載の方法。
【請求項３４】
前記参照ノイズはいびき音である、請求項３１に記載の方法。
【請求項３５】
前記制御ユニットは、参照マイクロフォン、エラーマイクロフォンおよび少なくとも１つのスピーカのうちの少なくとも１つと無線接続されている、請求項３１に記載の方法。